(57)【要約】【課題】１本の歯ブラシで各個人の口腔内状況に適応させて、歯ブラシの毛先の種類、太さ、向き等を使用者の口腔内の状態に合わせて自由に選択、交換することができる歯ブラシを提供する。【解決手段】ヘッドが取り外し可能な歯ブラシにおいて、ヘッド１１をホルダＨの軸線Ｘに対して多方向使用可能に装着可能にし、その装着手段としてヘッドの表面あるいはヘッドの内部に設けた。また、上記ヘッドを１個のヘッドあるいは分割された複数の分割ヘッドあるいはこの分割ヘッド同士の連結によって構成した。また、上記分割ヘッド同士の連結を嵌合手段あるいは非嵌合手段によるものとした。【選択図】            図１
2004154269.tif 000002
【特許請求の範囲】
【請求項１】
ヘッドが取り外し可能な歯ブラシにおいて、ヘッドをホルダの軸線に対して多方向使用可能に装着可能にした歯ブラシ。
【請求項２】
上記ヘッドをホルダに対して多方向使用可能に装着する手段を、ヘッドの表面に設けたことを特徴とする請求項１記載の歯ブラシ。
【請求項３】
上記ヘッドをホルダに対して多方向使用可能に装着する手段を、ヘッドの内部に設けたことを特徴とする請求項１記載の歯ブラシ。
【請求項４】
上記ヘッドを１個のヘッドによって構成したことを特徴とする請求項１又は請求項２又は請求項３記載の歯ブラシ。
【請求項５】
上記ヘッドを分割された複数の分割ヘッドあるいはこの分割ヘッド同士の連結によって構成したことを特徴とする請求項１又は請求項２又は請求項３記載の歯ブラシ。
【請求項６】
上記分割ヘッド同士の連結を、嵌合手段によることを特徴とする請求項５記載の歯ブラシ。
【請求項７】
上記分割ヘッド同士の連結を、非嵌合手段によることを特徴とする請求項５記載の歯ブラシ。
【発明の詳細な説明】
【０００１】
【特許文献１】
特開２００２−３４６５７号公報（第１―６頁、図１）
【０００２】
【発明の属する技術分野】
本発明は、ヘッドを取りかえることにより、１本の歯ブラシで各個人の有する口腔内の個性に対応できる歯ブラシのヘッドに関するものである。
【０００３】
【従来の技術】
歯ブラシによる歯の清掃は生活習慣となっているが、このブラッシングは毎日変化なく行われやすい。すなわち、通常我々は同一のブラシで同一個所を同一の動きで磨いている。そのため、個人により磨き残しが積み重なって歯周病などの慢性疾患につながることが多いという問題点が指摘されていた。
そのため、従来は個人に歯のブラッシングの方法を教育することや、多数の清掃器具を与えたり、あるいは多数の磨き方を患者に強要したが問題の解決には至らなかったため、特開２００２−３４６５７号公報に示すような歯ブラシが提案された。この歯ブラシはブラシ部を２個以上の部分ブラシによって構成し、この部分ブラシを捩じりと曲げの変形を許容して復元する弾性樹脂等の復元手段で連結したものである。
【０００４】
【発明が解決しようとする課題】
上記の歯ブラシによれば、部分ブラシが個人の口腔内環境への適正化をはかり個人毎の歯並び等の条件に左右されずブラッシングが行えるが、歯ブラシのホルダの軸線に対しては同位置の状態でしか交換することができないため、多種類の分割ヘッドが必要とされた。
本発明は上記のような観点から、ブラッシングの方法や清掃器具を用いず、１本の歯ブラシのヘッドを取りかえることで、個人の個性の如何にかかわらず口腔内の環境に適した歯ブラシとするもので個人の生活習慣を越えたより良い口腔内の環境を作ることを目的とする。
【０００５】
【課題を解決するための手段】
上記課題を解決するためになされた本発明は、ヘッドが取り外し可能な歯ブラシにおいて、ヘッドをホルダの軸線に対して多方向使用可能に装着可能にしたことを特徴とする。
また、本発明は、上記ヘッドをホルダに対して多方向使用可能に装着する手段を、ヘッドの表面に設けたことを特徴とする。
また、本発明は、上記ヘッドをホルダに対して多方向使用可能に装着する手段を、ヘッドの内部に設けたことを特徴とする。
また、本発明は、上記ヘッドを１個のヘッドによって構成したことを特徴とする。
また、本発明は、上記ヘッドを分割された複数の分割ヘッドあるいはこの分割ヘッド同士の連結によって構成したことを特徴とする。
また、本発明は、上記分割ヘッド同士の連結を、嵌合手段によることを特徴とする。
また、本発明は、上記分割ヘッド同士の連結を、非嵌合手段によることを特徴とする。
【０００６】
【発明の実施の形態】
本発明の実施形態を図面に基づいて説明する。図１乃至図４は歯ブラシ先端のヘッド部に、分割ヘッドを装着した状態を示す第１実施形態乃至第４実施形態を表すものである。
これらの実施形態においては、１個のヘッドを複数に分割した分割ヘッドを使用した場合について説明する。しかし、ヘッド部に固定するヘッドは１個のヘッドでもよく、さらには上記分割ヘッド同士を連結したヘッドでもよい。
【０００７】
図１に示すものはヘッド部で個々の分割ヘッドを固定する方式の第１実施形態であり、ヘッドの下面に設けた溝部で分割ヘッドを固定するものである。
図中、（ａ）はヘッド部に分割ヘッドを装着した状態の一部切欠き斜視図、（ｂ）は分割ヘッドの正面図、（ｃ）は分割ヘッドの平面図、（ｄ）は本実施形態に用いるホルダの一部切欠き斜視図及び（ｅ）は脱落防止部材を装着した状態のホルダの一部切欠き斜視図である。
【０００８】
この実施形態は、ホルダＨ先端に構成したヘッド部１００に分割ヘッド１１を嵌合したものである。図示のように平板状のヘッド部１００の下面に、ヘッド部１００の全長に亘って断面逆台形状の溝部１０１を削設する。一方、下面に毛９を植設した分割ヘッド１１を構成し、その上端に前記溝部１０１と嵌合可能な形状の係止部１２を設ける。図中、Ｘはホルダの軸線である。
この分割ヘッド１１の取付け及び取外しは、分割ヘッド１１を溝部１０１にスライドさせて行う。また、係止部１２を図１（ｃ）に示すように縦と横の長さを同一にした平面視正方形にすれば、分割ヘッドを９０度、１８０度あるいは２７０度回転して取りつけることができる。係止部１２が平面視長方形であれば９０度の回転はできないが、１８０度の回転が可能となる。
また係止部１２を正八角形等の多角形とすれば、対向する二辺を溝部１０１で挟むことで所定の角度回転して取り付けることができる。また、この場合、各分割ブラシ１１の係止部１２の溝部１０１に対する取付け角度を異ならせることで、各分割ブラシ１１をそれぞれ異なった方向に向いた状態でブラシ部１００に取付けることもできる。
本実施形態による効果は、分割ヘッド１１を９０度あるいは任意の角度回転して使用することで毛９の位置を回転させ、一つの分割ヘッド１１に対する植毛を方向を変えて利用することが可能となる。
なお、図１（ｅ）に示すように、先頭の分割ブラシ１１の先端に、分割ブラシ１１の脱落防止部材１０３を着脱自在に装着することにより、分割ブラシ１１は使用時も安定してヘッド部１００に保持される。
そして、この脱落防止部材は、図示はしないが以下の各実施形態にも使用されており、その形状は各実施形態に応じて任意に選択できるものとする。
【０００９】
図２に示すものはヘッド部で分割ヘッドを固定する方式の第２実施形態でありヘッドの両側部に設けた凹部を用いて固定するものである。図中、（ａ）はヘッド部に分割ヘッドを装着した状態の一部切欠き斜視図、（ｂ）は分割ヘッドの平面図及び（ｃ）は本実施形態に用いるホルダの一部切欠き斜視図である。
【００１０】
本実施形態に使用するヘッド部２００は図２（ｃ）に示すように、ホルダＨの先端に２本の支軸２０１、２０１を設けた二股状である。一方、分割ヘッド２１の側部の四面には、凹溝を形成して嵌合部２２、２２、・・とする。
使用に際しては、上記支軸２０１を分割ヘッド２１の嵌合部２２に嵌合して取付けるのである。
この分割ヘッド２１の嵌合部２２は図２（ｂ）に示すように、側部の四面に沿って設けられているから、上記第１実施形態と同様に９０度回転して支軸２０１に取り付けることができる。また、この嵌合部２２を分割ヘッド２１の角部に形成すれば、上記第１実施形態の多角形の場合と同様に、所定の角度回転させて取り付けることができる。
【００１１】
図３に示すものはヘッド部で分割ヘッドを固定する方式の第３実施形態であり、表面に凹凸を構成していない分割ヘッドの２面ないし４面を固定するものである。図中、（ａ）はヘッド部に分割ヘッドを装着した状態の一部切欠き斜視図、（ｂ）は分割ヘッドの他の実施例の平面図及び（ｃ）は本実施形態に用いるホルダの一部切欠き斜視図である。
【００１２】
本実施形態は分割ヘッドの両側面を押えるタイプのものである。
ヘッド部３００は角筒状の下部を開放した形状であり、両側に対向する一対のヘッド部枠３０１を形成している。この二つのヘッド部枠３０１は、その上部を連結板３０３で連結し、下端を内側に曲折して凹部３０２を構成した形状である。一方、分割ヘッド３１の両側部３２、３２は上記凹部３０２に嵌合可能な形状とする。
使用に際しては、分割ヘッド３１の両側部３２、３２をヘッド部３００の両側の凹部３０２、３０２に摺動させて嵌合していけば良い。
本実施形態も上記の第１実施形態と同様に、分割ヘッド３１を平面視正方形にすれば、この分割ヘッド３１を９０度１８０度あるいは２７０度回転して取りつけることができ、分割ヘッド３１が平面視長方形であれば９０度の回転はできないが、１８０度の回転が可能となる。
また、図３（ｂ）に示すように分割ヘッド３５の上面を正八角形等の多角形とすることもでき、この場合は対向する二つの辺ａ、ａ、ｂ、ｂをヘッド部３００の両側の凹部３０２に嵌合することにより、辺ａと辺ｂの作る角度分だけの回転取付けが可能となる。
【００１３】
図４に示すものはヘッド部で分割ヘッドを固定する方式の第４実施形態でありヘッド内側を固定するものである。図中、（ａ）は分割ヘッドの斜視図、（ｂ）は分割ヘッドの平面図及び（ｃ）は本実施形態に用いるホルダの斜視図である。
【００１４】
本実施形態は、分割ヘッド３７に貫通孔３８を穿設し、その貫通孔３８に棒状のヘッド部４００を挿通して固定するものである。上記貫通孔３８の形状は任意であり、本実施形態では断面半円形状としているため、ヘッド部４００の断面形状も同様な半円形状である。
また、この分割ヘッド３７も上記第３実施形態の図３（ｂ）に示すように、分割ヘッド３８の上面を正八角形等の多角形に構成して、所定の角度をもって取り付けるようにすることができ、この場合は対向する二つの辺に貫通孔を形成すればよい。
【００１５】
次に図５乃至図８に基づいて個々の分割ヘッド相互の連結方法について説明する。まず分割ヘッド同士の嵌合を利用したものとして次のものが挙げられる。これらの連結は分割ヘッド同士の摩擦を利用した連結方法である。
【００１６】
分割ヘッド同士の連結についての第１実施形態は図５に示すものであり、図中、（ａ）は凹型ヘッドの平面図、（ｂ）は（ａ）のＩ−Ｉ線断面図及び（ｃ）は凸型ヘッドの平面図である。
本実施形態の分割ヘッドは、凹型ヘッド５１と凸型ヘッド５５からなる。凹型ヘッド５１には、その側部の四面に複数の縦溝５２、５２・・を削設し、凸型ヘッド５５には、その側部の四面に上記縦溝５２と摺動して嵌合する複数の突条５６、５６・・を設けてなる。
【００１７】
使用に際しては、凹型ヘッド５１の縦溝５２に凸型ヘッド５５の突条５６を上方より嵌合して、凸型ヘッド５５を押し下げていく。
そして、毛９の消耗具合やクセ毛の発生状態に合わせ、あるいは適宜必要に応じて凹型ヘッド５１と凸型ヘッド５５の嵌合状態を解いて、一方のヘッドの方向を９０度、１８０度あるいは２７０度回転させて、再び両ヘッド５１，５５を嵌合させて再使用することができる。
【００１８】
分割ヘッド同士の連結についての第２実施形態は図６に示すものであり、図中、（ａ）は凹型ヘッドの正面図、（ｂ）は（ａ）のＩＩ−ＩＩ線断面図及び（ｃ）は凸型ヘッドの正面図である。
【００１９】
本実施形態の分割ヘッドは、凹型ヘッド６１と凸型ヘッド６５からなる。
凹型ヘッド６１には、側部の四面にそれぞれ穴６２を設け、凸型ヘッド６５には上記穴６２と嵌合する位置に相当の大きさの突起６６を設けてなる。
使用に際しては、凹型ヘッド６１の穴６２に凸型ヘッド６５の突起６６を水平方向より嵌合すれば良い。そして、毛９の消耗具合やクセ毛の発生状態に合わせ、あるいは適宜必要に応じて凹型ヘッド６１と凸型ヘッド６５の嵌合状態を解いて、一方のヘッドの方向を上記と同様に回転させ再び両ヘッド６１、６５を嵌合させて分割ヘッドを再使用するのである。
上記穴６２と突起６６にネジを設けて、螺合するようにしてもよい。この場合は両ヘッド６１、６５の連結がより強固となる。
【００２０】
分割ヘッド同士の連結についての第３実施形態は図７に示すものであり、図中、（ａ）は凹型ヘッドの正面図、（ｂ）は（ａ）のＩＩＩ−ＩＩＩ線断面図及び（ｃ）は凸型ヘッドの正面図である。
【００２１】
本実施形態の分割ヘッドは、凹型ヘッド７１と凸型ヘッド７５からなる。
凹型ヘッド７１には側面の対向する両面あるいは四面すべてに、斜めに平行な溝部７２を削設し、凸型ヘッド７５には上記溝部７２と摺動して嵌合する位置に、適宜な大きさ及び適宜の方向に形成された突条７６を設けてなる。
使用に際しては、凹型ヘッド７１の溝部７２に凸型ヘッド７５の突条７６を斜め上方より嵌合して押し下げていけば良い。
そして、上記と同様に適宜必要に応じて凹型ヘッド７１と凸型ヘッド７５の嵌合状態を解いて、一方のヘッドの方向を変更して再び両ヘッド７１、７５を嵌合させることができる。
【００２２】
次に分割ヘッド同士の連結が非嵌合であるものを説明する。この第４実施形態は図８に示すものであり、図中、（ａ）は一方の分割ヘッドの正面図、（ｂ）は（ａ）のＩＶ−ＩＶ線断面図及び（ｃ）は他方の分割ヘッドの正面図である。
【００２３】
本実施形態では、一方の分割ヘッド８１と他方の分割ヘッド８５の表面あるいは内部にＳ極の磁石８２とＮ極の磁石８６を設けてなる。
使用に際しては、２個の分割ヘッド８１、８５の磁石８２、８６を接触させれば両者は連結し、また力を加えて容易に引き離すことができるのである。
また、上記第１乃至第３実施形態の嵌合タイプに、この第４実施形態の非嵌合タイプのものを加えることもでき、この場合は更に強固に連結される。
【００２４】
このように、上記各実施形態で説明した分割ヘッド相互の連結方法は、上記のヘッド部で分割ヘッドを固定する方式の第１乃至第４実施形態のそれぞれに適応でき、かつ１本の歯ブラシに異なった連結方法を用いて複数の分割ブラシを取り付けることもできる。
【００２５】
以上のように、上記各実施形態によれば、単純な構造でありながら使用時に十分な固定力が発揮できる。毛の植立方向ならびに毛の長さ、強さ等の条件は任意に設定できるため、同一部位での多種ブラシ利用と同一効果をもたらすのである。また１本の歯ブラシのヘッドを取りかえることで、個人の個性の如何にかかわらず口腔内の環境に適したブラシとすることができ、個人の生活習慣を越えたより良い口腔内の環境を作ることができる。
【００２６】
また、上記各実施形態の歯ブラシは、ホルダを手で掴む手動タイプのものは勿論、それ以外にも電動歯ブラシ、音波歯ブラシ等の動力を用いてブラシを駆動させるタイプの歯ブラシにも適応できる。
【００２７】
【発明の効果】
以上のように、本発明によれば、歯ブラシの毛先の種類、太さ、向き等を使用者の口腔内の状態に合わせて自由に選択、交換することができるため、口腔内の清掃をすべて１本のブラシで済ますことができるのである。
さらに、ブラシの曲毛を矯正して、ヘッドの消耗を防ぎ永く使えるため省エネ効果を有し分割ヘッドを代えることにより多種類のブラシを使用したのと同じ効果を有するのである。
【図面の簡単な説明】
【図１】本発明の第１実施形態を示すもので、（ａ）はヘッド部に分割ヘッドを装着した状態の一部切欠き斜視図、（ｂ）は分割ヘッドの正面図、（ｃ）は分割ヘッドの平面図、（ｄ）はホルダの一部切欠き斜視図及び（ｅ）は脱落防止部材を装着した状態のホルダの一部切欠き斜視図である。
【図２】本発明の第２実施形態を示すもので、（ａ）はヘッド部に分割ヘッドを装着した状態の一部切欠き斜視図、（ｂ）は分割ヘッドの平面図、（ｃ）はホルダの一部切欠き斜視図である。
【図３】本発明の第３実施形態を示すもので、（ａ）はヘッド部に分割ヘッドを装着した状態の一部切欠き斜視図、（ｂ）は分割ヘッドの他の実施例の平面図、（ｃ）はホルダの一部切欠き斜視図である。
【図４】本発明の第４実施形態を示すもので、（ａ）は分割ヘッドの斜視図、（ｂ）は分割ヘッドの平面図、（ｃ）はホルダの斜視図である。
【図５】分割ヘッド同士の連結についての第１実施形態を示すもので、（ａ）は凹型ヘッドの平面図、（ｂ）は（ａ）のＩ−Ｉ線断面図、（ｃ）は凸型ヘッドの平面図である。
【図６】分割ヘッド同士の連結についての第２実施形態を示すもので、（ａ）は凹型ヘッドの正面図、（ｂ）は（ａ）のＩＩ−ＩＩ線断面図、（ｃ）は凸型ヘッドの正面図である。
【図７】分割ヘッド同士の連結についての第３実施形態を示すもので、（ａ）は凹型ヘッドの正面図、（ｂ）は（ａ）のＩＩＩ−ＩＩＩ線断面図及び（ｃ）は凸型ヘッドの正面図である。
【図８】分割ヘッド同士の連結についての第４実施形態を示すもので、（ａ）は分割ヘッドの正面図、（ｂ）は（ａ）のＩＶ−ＩＶ線断面図及び（ｃ）は他方の分割ヘッドの正面図である。
【符号の説明】
Ｈ  ホルダ
９  毛
１１、２１、３１、３５、３７、５１、５５、  分割ヘッド
６１、６５、７１、７５、８１、８５  分割ヘッド
１２  係合部
２２  凹部
３２  側部
３８  貫通孔
５２  縦溝
５６  突条
６２  穴
６６  突起
７２  溝部
７６  突条
８２  磁石
８６  磁石
１００、２００、３００、４００  ヘッド部
１０１  溝部
２０１  支軸
３０１  ヘッド部枠
３０２  凹部
【図１】
2004154269.tif 000003
【図２】
2004154269.tif 000004
【図３】
2004154269.tif 000005
【図４】
2004154269.tif 000006
【図５】
2004154269.tif 000007
【図６】
2004154269.tif 000008
【図７】
2004154269.tif 000009
【図８】
2004154269.tif 000010